【手続補正書】
【提出日】平成19年11月16日(2007.11.16)
【手続補正１】
【補正対象書類名】特許請求の範囲
【補正対象項目名】全文
【補正方法】変更
【補正の内容】
【特許請求の範囲】
【請求項１】
空間中に浮遊する実像を形成する方法であって、
像源からの光を、光軸に沿って第１の方向から受け、
前記光を偏光して、第１の向きを有する円偏光光を作り、
前記円偏光光の第１の部分を広帯域反射／偏光器と部分的に鏡面状の反射器との間で、前記光軸に沿って跳ね返らせてさせて、前記円偏光光の前記第１部分が前記第１の向きと逆の第２の向きを有するようにし、かつ前記第１の方向とは逆の第２の方向に前記光軸に沿って向けさせ、
前記円偏光光の前記第１部分の前記の跳ね返らせの後、前記円偏光光の前記第１部分を、前記光軸に沿って直線偏光光に収束させ、
前記円偏光光の第２の部分に、前記広帯域反射器／偏光器および前記部分的に鏡面状の反射器を前記光軸に沿って通過させて、前記円偏光光が前記第１の向きを保持するようにし、
前記円偏光光の前記第２部分の前記の通過の後に、前記円偏光光の前記第２部分を消光し、
前記円偏光光の前記第１部分を空間中のある位置に合焦させて、前記位置に浮遊する実像を形成する、
方法。
【請求項２】
請求項１記載の方法において、前記円偏光光の前記第１部分を合焦させることは、前記円偏光光の前記第１部分を前記光軸に沿って前記第２方向において合焦させることを含む、方法。
【請求項３】
請求項１記載の方法において、前記円偏光光の前記第１部分を合焦させることは、前記円偏光光の前記第１部分を前記広帯域反射器／偏光器で合焦させることを含む、方法。
【請求項４】
請求項１記載の方法において、前記円偏光光の前記第１部分を合焦させることは、前記円偏光光の前記第１部分を前記部分的に鏡面状の反射器で合焦させることを含む、方法。
【請求項５】
請求項１記載の方法において、前記円偏光光の前記第１部分を合焦させることは、前記円偏光光の前記第１部分を屈折レンズで合焦させることを含む、方法。
【請求項６】
請求項１記載の方法において、像源から前記光を受けることは、３Ｄ像から前記光を受けることを含み、前記円偏光光の前記第１部分を合焦させることは、前記円偏光光の前記第１部分を合焦させて浮遊する３Ｄ実像を形成することを含む、方法。
【請求項７】
複数の像を目視者に対し最適な目視線に沿って表示する方法であって、
第１の像の光を円偏光させて、ある向きの円偏光光を作り、
前記円偏光を、広帯域反射／偏光器から斜めに反射させて、収束反射器に向けた反射された円偏光光を作り、
前記収束反射器からの前記反射された円偏光光を反射させることにより、
前記反射された円偏光光の前記向きを逆転させ、逆向き反射円偏光光を作り、
前記逆向き反射円偏光光に、前記広帯域反射／偏光器を通過させ、
前記逆向き反射円偏光光を前記広帯域反射／偏光器を超えて前記最適目視線に沿って合焦させて、前記第１像全体の浮遊実像を空間中に形成し、
目視者が前記最適目視線に沿って目視するときに、該浮遊実像の背後に、前記浮遊実像と伴に目視するための第２の像を供給する、
方法。
【請求項８】
請求項７記載の方法において、前記凹状反射器は、部分的に鏡面状の反射器であり、前記第２像を供給することは、該第２像を、前記最適目視線から前記広帯域偏光器／反射器および前記部分的に鏡面状の反射器を通して目視するように供給することを含む、方法。
【請求項９】
請求項７記載の方法において、前記第２像を供給することは、該第２像を、前記最適目視線から前記広帯域偏光器／反射器からの反射として目視するように供給することを含む、方法。
【請求項１０】
源像の実像を自由空間中に投影する投影光学系であって、前記源像がランダムに偏光された光を介して供給され、前記投影光学系が、
該投影光学系が前記源像に対し作用関係にあるときに前記源像を通して延在する光軸と、
前記光軸に沿って位置し、前記ランダムに偏光された光を偏光させて、ある向きを有する円偏光光を作る円偏光器と、
前記光軸に沿って位置した経路屈曲光学系であって、該経路屈曲光学系が、
前記光軸に沿って第１の方向から前記円偏光光を受け、
前記円偏光光の第１の部分を直視光として通し、
前記円偏光光の第２の部分の向きを逆転させ、
逆向き円偏光光を前記第１方向とは逆の第２の方向に出力する、
ように構成され、前記の経路屈曲光学系がビームスプリッタと広帯域反射器／偏光器を含む、前記の経路屈曲光学系と、
前記光軸に沿った位置し、前記直視光を消光し、前記逆向き円偏光光を前記第２方向に通す直視光消光器と、
前記円偏光光の前記第２部分を合焦させて、前記光軸に沿って前記第２方向において浮遊する実像を形成する収束エレメントと、
を備えた投影光学系。
【請求項１１】
請求項１０記載の投影光学系において、前記収束エレメントは前記広帯域反射／偏光器を含む、投影光学系。
【請求項１２】
請求項１０記載の投影光学系において、前記収束エレメントは前記ビームスプリッタを含む、投影光学系。
【請求項１３】
請求項１０記載の投影光学系において、前記収束エレメントは屈折レンズである、投影光学系。
【請求項１４】
最適な目視線に沿って位置した目視者に対し複数の重なった像を表示する表示システムであって、
ランダムに偏光された光を介して源像を供給する第１像源と、
前記源像から延在した第１光路と、
該第１光路に沿って位置し、前記ランダムに偏光された光を偏光させて、ある向きを有する円偏光光を作る円偏光器と、
前記第１光路に沿って位置し、前記円偏光光の一部分を空間中の一点に合焦させて浮遊する実像を作る収束エレメントであって、前記円偏光光の前記向きを逆転させて逆向き円偏光光を作る前記の収束エレメントと、
前記円偏光光の前記一部分を前記収束エレメントへ反射させるように、前記円偏光器および前記収束エレメントの各々に対し斜めで前記第１光路に沿って配置された広帯域反射器／偏光器であって、前記収束エレメントは前記広帯域反射器／偏光器に対し相対的に配置されて、前記逆向き円偏光光を前記浮遊実像の形成において前記収束エレメントから前記広帯域反射器／偏光器を通して反射させるようにした、前記の広帯域反射器／偏光器と、
目視者が前記最適目視線に沿って位置したときに、前記浮遊実像に対し背景像を供給する第２像源と、
を備えた表示システム。
【請求項１５】
請求項１４記載の表示システムにおいて、前記第２像源は、前記広帯域反射器／偏光器からの反射を介して前記背景像を供給するように配置した、表示システム。
【請求項１６】
請求項１４記載の表示システムにおいて、前記第２像源は、前記収束エレメント及び前記広帯域反射器／偏光器の各々を通しての透過を介して前記背景像を供給するように配置した、表示システム。
【請求項１７】
光源からの源光より実像を形成する光学システムであって、
前記光学システムの使用時において実像を形成するように、前記源光の一部分を収束させる少なくとも１つの収束エレメントと、
光路において前記少なくとも１つの収束エレメントと前記実像との間に位置し、前記光学システムの使用時において前記光源に対向する広帯域反射器／偏光器と、
を備え、前記少なくとも１つの収束エレメントは、円筒状構成の前記広帯域反射器／偏光器を含む、光学システム。
【請求項１８】
請求項１７記載の光学システムであって、さらに、前記光学システムの使用時において前記光路において前記光源と前記広帯域偏光器との間に位置した円偏光器を含む、光学システム。
【請求項１９】
請求項１７記載の光学システムであって、さらに、該光学システムの使用時において、前記光路において前記光源と前記実像との間に位置したビームスプリッタを含む、光学システム。
【請求項２０】
請求項１９記載の光学システムにおいて、前記ビームスプリッタは円筒状構成を有する、光学システム。